(57)【要約】【課題】ツールチップを利用することで、ユーザが設定情報の内容を容易に確認することが可能な周辺機器制御プログラム、装置および方法、並びに表示制御プログラム、装置および方法を提供する。【解決手段】カーソルがプロパティウィンドウ上のイメージに重なると、ツールチップ制御部１５はツールチップを表示するための時間の計側を開始し、所定の時間が経過すると、ツールチップ制御部１５は設定情報をテキスト情報に変換してツールチップを生成し、生成したツールチップをディスプレイ等に表示する。そして、カーソルが移動し、イメージから離れると、ディスプレイ等に表示されているツールチップをクローズする。【選択図】図１
2005141729.tif 000002
【特許請求の範囲】
【請求項１】
ユーザが設定した設定項目に対応する設定情報を周辺機器に提供する周辺機器制御プログラムにおいて、
前記設定情報に対応する画像データを表示手段に表示制御する処理と、
前記表示手段に表示された画像データが入力手段により指定されてから所定の時間が経過した際に、該画像データに対応するテキスト情報を該表示手段に表示する処理と
をコンピューターに動作させることを特徴とする周辺機器制御プログラム。
【請求項２】
複数の設定項目を予め１つ以上のグループに振り分け、
前記グループに含まれる設定項目に対応する設定情報に対応する画像データを前記表示手段に表示制御する処理と、
前記表示手段に表示された画像データが前記入力手段により指定されてから所定の時間が経過した際に、該画像データに対応するテキスト情報を該表示手段に表示する処理と
をコンピューターに動作させることを特徴とする請求項１記載の周辺機器制御プログラム。
【請求項３】
複数の設定項目をグループに振り分ける処理と、
前記グループに含まれる設定項目に対応する設定情報に対応する画像データを前記表示手段に表示制御する処理と、
前記表示手段に表示された画像データが前記入力手段により指定されてから所定の時間が経過した際に、該画像データに対応するテキスト情報を該表示手段に表示する処理と
をコンピューターに動作させることを特徴とする請求項１記載の周辺機器制御プログラム。
【請求項４】
前記入力手段によりマウスカーソルが前記画像データに重なってから所定の時間が経過した際に、前記テキスト情報が記載されたウィンドウを表示する処理
をコンピューターに動作させることを特徴とする請求項１記載の周辺機器制御プログラム。
【請求項５】
ユーザが設定した設定項目に対応する設定情報を周辺機器に提供する周辺機器制御プログラムにおいて、
複数の設定情報に対応する画像データを表示手段に表示制御する処理と、
前記表示手段に表示された画像データが入力手段により指定されてから所定の時間が経過した際に、前記複数の設定情報に対応するテキスト情報を前記表示手段に表示する処理と
をコンピューターに動作させることを特徴とする周辺機器制御プログラム。
【請求項６】
複数の設定項目を予め１つ以上のグループに振り分け、
前記グループに含まれる設定項目に対応する設定情報に対応する画像データを前記表示手段に表示制御する処理と、
前記画像データが前記入力手段により指定されてから所定の時間が経過した際に、前記グループに対応する設定情報に対応するテキスト情報を前記表示手段に表示する処理と
をコンピューターに動作させることを特徴とする請求項５記載の周辺機器制御プログラム。
【請求項７】
複数の設定項目をグループに振り分ける処理と、
前記グループに含まれる設定項目に対応する設定情報に対応する画像データを前記表示手段に表示制御する処理と、
前記画像データが前記入力手段により指定されてから所定の時間が経過した際に、前記グループに対応する設定情報に対応するテキスト情報を前記表示手段に表示する処理と
をコンピューターに動作させることを特徴とする請求項５記載の周辺機器制御プログラム。
【請求項８】
前記設定情報に対して前記テキスト情報を表示する処理において、
前記設定項目に対応する設定情報に対して、前記テキスト情報を表示するか否かの属性情報を保持し、
前記属性情報に基づき、該属性情報にて表示する属性となっている設定情報に対するテキスト情報のみを選択する処理と、
該選択されたテキスト情報を前記表示手段に表示制御する処理と
をコンピューターに動作させることを特徴とする請求項５および請求項６記載の周辺機器制御プログラム。
【請求項９】
ユーザが設定した設定項目に対応する設定情報を周辺機器に提供する周辺機器制御プログラムにおいて、
前記設定項目に対応する設定情報に対して、テキスト情報を表示するか否かの属性情報を保持し、
前記設定情報に対応するテキスト情報を前記属性情報に基づいて表示手段に表示制御する処理
をコンピューターに動作させることを特徴とする周辺機器制御プログラム。
【請求項１０】
複数の設定項目の設定情報に対して前記テキスト情報を表示する処理において、
前記設定情報に対して前記テキスト情報を表示するか否かの前記属性情報に基づき、該属性情報にて表示する属性となっている設定情報に対するテキスト情報のみを選択する処理と、
該選択されたテキスト情報を前記表示手段に表示制御する処理と
をコンピューターに動作させることを特徴とする請求項９記載の周辺機器制御プログラム。
【請求項１１】
表示手段の表示制御を行なう表示制御プログラムにおいて、
周辺機器に対応する画像データを前記表示手段に表示制御する処理と、
前記表示手段に表示された画像データが入力手段により指定されてから所定の時間が経過した際に、該画像データに対応する周辺機器を特定する処理と、
該特定した周辺機器に対応する周辺機器制御プログラムに設定された設定情報を読み出す処理と、
該読み出した設定情報を表すテキスト情報を前記表示手段に表示する処理と
をコンピュータに動作させることを特徴とする表示制御プログラム。
【請求項１２】
ユーザが設定した設定項目に対応する設定情報を表示手段に表示する周辺機器制御装置において、
前記設定情報を記憶保持する設定情報記憶手段と、
前記設定情報記憶手段に記憶保持された設定情報を管理する設定情報管理手段と、
前記設定情報に対応する画像データを前記表示手段に表示制御する画像データ表示制御手段と、
前記表示手段に表示された画像データが入力手段により指定されてから所定の時間が経過した際に、該画像データに対応するテキスト情報を該表示手段に表示するテキスト情報表示制御手段と
を具備することを特徴とする周辺機器制御装置。
【請求項１３】
前記設定情報管理手段は、
複数の設定項目を予め１つ以上のグループに振り分けるグループ管理手段
を具備し、
前記画像データ表示制御手段は前記グループに含まれる設定項目に対応する設定情報に対応する画像データを前記表示手段に表示制御し、
前記テキスト情報表示制御手段は前記表示手段に表示された画像データが前記入力手段により指定されてから所定の時間が経過した際に、該画像データに対応するテキスト情報を該表示手段に表示する
ことを特徴とする請求項１２記載の周辺機器制御装置。
【請求項１４】
前記テキスト情報表示制御手段は、
前記入力手段によりマウスカーソルが前記画像データに重なってから所定の時間が経過した際に、前記テキスト情報が記載されたウィンドウを表示する
ことを特徴とする請求項１２記載の周辺機器制御装置。
【請求項１５】
ユーザが設定した設定項目に対応する設定情報を表示手段に表示する周辺機器制御装置において、
複数の設定情報を記憶保持する設定情報記憶手段と、
前記設定情報記憶手段に記憶保持された複数の設定情報を管理する設定情報管理手段と、
前記複数の設定情報に対応する画像データを表示手段に表示制御する画像データ表示制御手段と、
前記表示手段に表示された画像データが入力手段により指定されてから所定の時間が経過した際に、前記複数の設定情報に対応するテキスト情報を前記表示手段に表示するテキスト情報表示制御手段と
を具備することを特徴とする周辺機器制御装置。
【請求項１６】
前記設定情報管理手段は、
複数の設定項目を予め１つ以上のグループに振り分けるグループ管理手段
を具備し、
前記画像データ表示制御手段は前記グループに含まれる設定項目に対応する設定情報に対応する画像データを前記表示手段に表示制御し、
前記テキスト情報表示制御手段は前記画像データが前記入力手段により指定されてから所定の時間が経過した際に、前記グループに対応する設定情報に対応するテキスト情報を前記表示手段に表示する
ことを特徴とする請求項１５記載の周辺機器制御装置。
【請求項１７】
前記設定情報管理手段は、
前記設定項目に対応する設定情報に対して、前記テキスト情報を表示するか否かの属性情報を保持する設定情報属性管理手段
を具備し、
前記テキスト情報表示制御手段は、
前記属性情報に基づき、該属性情報にて表示する属性となっている設定情報に対するテキスト情報のみを選択し、
該選択したテキスト情報を前記表示手段に表示制御する
ことを特徴とする請求項１５および請求項１６記載の周辺機器制御装置。
【請求項１８】
ユーザが設定した設定項目に対応する設定情報を表示手段に表示する周辺機器制御装置において、
前記設定項目に対応する設定情報に対して、テキスト情報を表示するか否かの属性情報を保持する設定情報属性管理手段と、
前記設定情報に対応するテキスト情報を前記属性情報に基づいて表示手段に表示制御するテキスト情報表示制御手段と
を具備することを特徴とする周辺機器制御装置。
【請求項１９】
前記テキスト情報表示制御手段は、
前記設定情報に対して前記テキスト情報を表示するか否かの前記属性情報に基づき、該属性情報にて表示する属性となっている設定情報に対するテキスト情報のみを選択し、
該選択したテキスト情報を前記表示手段に表示制御する
ことを特徴とする請求項１８記載の周辺機器制御装置。
【請求項２０】
表示手段の表示制御を行なう表示制御装置において、
周辺機器に対応する画像データを前記表示手段に表示制御する画像データ表示制御手段と、
前記表示手段に表示された画像データが入力手段により指定されてから所定の時間が経過した際に、該画像データに対応する周辺機器を特定する特定手段と、
前記特定手段で特定した周辺機器に対応する周辺機器制御プログラムに設定された設定情報を読み出す読出し手段と、
前記読出し手段で読み出した設定情報を表すテキスト情報を前記表示手段に表示するテキスト情報表示制御手段と
を具備することを特徴とする表示制御装置。
【請求項２１】
ユーザが設定した設定項目に対応する設定情報を表示手段に表示する周辺機器制御方法において、
前記設定情報に対応する画像データを表示手段に表示制御し、
前記表示手段に表示された画像データが入力手段により指定されてから所定の時間が経過した際に、該画像データに対応するテキスト情報を該表示手段に表示する
ことを特徴とする周辺機器制御方法。
【請求項２２】
複数の設定項目を予め１つ以上のグループに振り分け、
前記グループに含まれる設定項目に対応する設定情報に対応する画像データを前記表示手段に表示制御し、
前記表示手段に表示された画像データが前記入力手段により指定されてから所定の時間が経過した際に、該画像データに対応するテキスト情報を該表示手段に表示する
ことを特徴とする請求項２１記載の周辺機器制御方法。
【請求項２３】
前記入力手段によりマウスカーソルが前記画像データに重なってから所定の時間が経過した際に、前記テキスト情報が記載されたウィンドウを表示する
ことを特徴とする請求項２２記載の周辺機器制御方法。
【請求項２４】
ユーザが設定した設定項目に対応する設定情報を表示手段に表示する周辺機器制御方法において、
複数の設定情報に対応する画像データを表示手段に表示制御し、
前記表示手段に表示された画像データが入力手段により指定されてから所定の時間が経過した際に、前記複数の設定情報に対応するテキスト情報を前記表示手段に表示する
ことを特徴とする周辺機器制御方法。
【請求項２５】
複数の設定項目を予め１つ以上のグループに振り分け、
前記グループに含まれる設定項目に対応する設定情報に対応する画像データを前記表示手段に表示制御し、
前記画像データが前記入力手段により指定されてから所定の時間が経過した際に、前記グループに対応する設定情報に対応するテキスト情報を前記表示手段に表示する
ことを特徴とする請求項２４記載の周辺機器制御方法。
【請求項２６】
前記設定情報に対して前記テキスト情報を表示する際に、
前記設定項目に対応する設定情報に対して、前記テキスト情報を表示するか否かの属性情報を保持し、
前記属性情報に基づき、該属性情報にて表示する属性となっている設定情報に対するテキスト情報のみを選択し、
該選択されたテキスト情報を前記表示手段に表示制御する
ことを特徴とする請求項２４および請求項２５記載の周辺機器制御方法。
【請求項２７】
ユーザが設定した設定項目に対応する設定情報を表示手段に表示する周辺機器制御方法において、
前記設定項目に対応する設定情報に対して、テキスト情報を表示するか否かの属性情報を保持し、
前記設定情報に対応するテキスト情報を前記属性情報に基づいて表示手段に表示制御する
ことを特徴とする周辺機器制御方法。
【請求項２８】
複数の設定項目の設定情報に対して前記テキスト情報を表示する際に、
前記設定情報に対して前記テキスト情報を表示するか否かの前記属性情報に基づき、該属性情報にて表示する属性となっている設定情報に対するテキスト情報のみを選択し、
該選択されたテキスト情報を前記表示手段に表示制御する
ことを特徴とする請求項２７記載の周辺機器制御方法。
【請求項２９】
表示手段の表示制御を行なう表示制御方法において、
周辺機器に対応する画像データを前記表示手段に表示制御し、
該表示された画像データが入力手段により指定されてから所定の時間が経過した際に、該画像データに対応する周辺機器を特定し、
該特定した周辺機器に対応する周辺機器制御プログラムに設定された設定情報を読み出し、
該読み出した設定情報を表すテキスト情報を前記表示手段に表示する
ことを特徴とする表示制御方法。
【発明の詳細な説明】
【技術分野】
【０００１】
本発明は、周辺機器制御プログラム、装置および方法、並びに表示制御プログラム、装置および方法に関し、特に、ユーザが周辺機器ドライバの設定項目の内容を容易に確認することができる周辺機器制御プログラム、装置および方法、並びに表示制御プログラム、装置および方法に関する。
【背景技術】
【０００２】
従来、ＰＣ（Personal Computer）等の情報処理装置には周辺機器があり、ＬＡＮ（Local Area Network）に直結することが可能な周辺機器が広く普及している。このような状況下において、情報処理装置は周辺機器を利用するためには、周辺機器の動作に必要な情報、周辺機器のハードウェアおよびソフトウェアの構成（機能構成）等を管理する周辺機器ドライバ（または、単にドライバ）をインストールする必要がある。
【０００３】
ここで、プリンタとプリンタの周辺機器ドライバ（以後、プリンタドライバとする）について例を挙げると、現在のプリンタドライバは、非常に多機能化しており、プリンタドライバ単体で様々な設定をすることでき、現状の設定情報の内容を確認するためには、設定用のＵＩ上の表示を見て確認したり、設定情報の内容の一覧を表示若しくはプリント出力して確認することが一般的であった。
【０００４】
例えば、様々な設定情報を持つ周辺機器ドライバでは、現在の設定情報に応じたイメージビットマップをＵＩ上に表示することによって、設定情報の内容を確認することができるプリンタ制御装置およびその方法並びに記憶媒体がある（例えば、特許文献１参照。）。
【特許文献１】特開平１０−１８１１６１号公報
【発明の開示】
【発明が解決しようとする課題】
【０００５】
しかし、複数の設定情報を設定用のＵＩ上に表示して確認する場合、複数の設定情報が複数のＵＩ上に渡って存在すると、すべての設定情報を確認するためには、様々なＵＩを表示させる必要があり、ユーザには手間がかかる。更に、設定情報の内容の一覧を表示若しくはプリント出力して確認する場合、一覧させるためにツリー表示のための制御を介入する必要があり、ユーザには手間がかかり、また、一覧の表示ゆえに、確認時に不必要な設定情報も全て表示されることから、意図する設定情報を見つけることが困難であった。
【０００６】
また、現在の設定情報に応じたイメージをＵＩ上に表示する場合、設定情報をイメージとすることで、設定情報の内容を理解することが容易になるという利点がある一方で、数値設定または任意文字列での設定等は、イメージで表現することは難しく、正確な設定情報を確認することは困難である。また、イメージと設定情報における選択肢名（テキスト）との結びつきも、イメージとテキストとの表現内容やそれを認識するユーザに依存することとなり、必ずしも作り手の意図どおりにユーザが理解するとは限らないという問題があった。
【０００７】
そこで、本発明は、ツールチップ（カーソルをコントロール上に一定時間以上重ねた場合に、テキストウィンドウが表示される機能）を利用することで、ユーザが設定情報の内容を容易に確認することが可能な周辺機器制御プログラム、装置および方法、並びに表示制御プログラム、装置および方法を提供することを目的とする。
【課題を解決するための手段】
【０００８】
上記目的を達成するため、請求項１の発明は、ユーザが設定した設定項目に対応する設定情報を周辺機器に提供する周辺機器制御プログラムにおいて、前記設定情報に対応する画像データを表示手段に表示制御する処理と、前記表示手段に表示された画像データが入力手段により指定されてから所定の時間が経過した際に、該画像データに対応するテキスト情報を該表示手段に表示する処理とをコンピューターに動作させることを特徴とする。
【０００９】
また、請求項２の発明は、請求項１の発明において、複数の設定項目を予め１つ以上のグループに振り分け、前記グループに含まれる設定項目に対応する設定情報に対応する画像データを前記表示手段に表示制御する処理と、前記表示手段に表示された画像データが前記入力手段により指定されてから所定の時間が経過した際に、該画像データに対応するテキスト情報を該表示手段に表示する処理とをコンピューターに動作させる。
【００１０】
また、請求項３の発明は、請求項１の発明において、複数の設定項目をグループに振り分ける処理と、前記グループに含まれる設定項目に対応する設定情報に対応する画像データを前記表示手段に表示制御する処理と、前記表示手段に表示された画像データが前記入力手段により指定されてから所定の時間が経過した際に、該画像データに対応するテキスト情報を該表示手段に表示する処理とをコンピューターに動作させることを特徴とする。
【００１１】
また、請求項４の発明は、請求項１の発明において、前記入力手段によりマウスカーソルが前記画像データに重なってから所定の時間が経過した際に、前記テキスト情報が記載されたウィンドウを表示する処理をコンピューターに動作させることを特徴とする。
【００１２】
また、請求項５の発明は、ユーザが設定した設定項目に対応する設定情報を周辺機器に提供する周辺機器制御プログラムにおいて、複数の設定情報に対応する画像データを表示手段に表示制御する処理と、前記表示手段に表示された画像データが入力手段により指定されてから所定の時間が経過した際に、前記複数の設定情報に対応するテキスト情報を前記表示手段に表示する処理とをコンピューターに動作させることを特徴とする。
【００１３】
また、請求項６の発明は、請求項５の発明において、複数の設定項目を予め１つ以上のグループに振り分け、前記グループに含まれる設定項目に対応する設定情報に対応する画像データを前記表示手段に表示制御する処理と、前記画像データが前記入力手段により指定されてから所定の時間が経過した際に、前記グループに対応する設定情報に対応するテキスト情報を前記表示手段に表示する処理とをコンピューターに動作させることを特徴とする。
【００１４】
また、請求項７の発明は、請求項５の発明において、複数の設定項目をグループに振り分ける処理と、前記グループに含まれる設定項目に対応する設定情報に対応する画像データを前記表示手段に表示制御する処理と、前記画像データが前記入力手段により指定されてから所定の時間が経過した際に、前記グループに対応する設定情報に対応するテキスト情報を前記表示手段に表示する処理とをコンピューターに動作させることを特徴とする。
【００１５】
また、求項８の発明は、請求項５および請求項６の発明において、前記設定情報に対して前記テキスト情報を表示する処理において、前記設定項目に対応する設定情報に対して、前記テキスト情報を表示するか否かの属性情報を保持し、前記属性情報に基づき、該属性情報にて表示する属性となっている設定情報に対するテキスト情報のみを選択する処理と、該選択されたテキスト情報を前記表示手段に表示制御する処理とをコンピューターに動作させることを特徴とする。
【００１６】
また、請求項９の発明は、ユーザが設定した設定項目に対応する設定情報を周辺機器に提供する周辺機器制御プログラムにおいて、前記設定項目に対応する設定情報に対して、テキスト情報を表示するか否かの属性情報を保持し、前記設定情報に対応するテキスト情報を前記属性情報に基づいて表示手段に表示制御する処理をコンピューターに動作させることを特徴とする。
【００１７】
また、請求項１０の発明は、請求項９の発明において、複数の設定項目の設定情報に対して前記テキスト情報を表示する処理において、前記設定情報に対して前記テキスト情報を表示するか否かの前記属性情報に基づき、該属性情報にて表示する属性となっている設定情報に対するテキスト情報のみを選択する処理と、該選択されたテキスト情報を前記表示手段に表示制御する処理とをコンピューターに動作させることを特徴とする。
【００１８】
また、請求項１１の発明は、表示手段の表示制御を行なう表示制御プログラムにおいて、周辺機器に対応する画像データを前記表示手段に表示制御する処理と、前記表示手段に表示された画像データが入力手段により指定されてから所定の時間が経過した際に、該画像データに対応する周辺機器を特定する処理と、該特定した周辺機器に対応する周辺機器制御プログラムに設定された設定情報を読み出す処理と、該読み出した設定情報を表すテキスト情報を前記表示手段に表示する処理とをコンピュータに動作させることを特徴とする。
【００１９】
また、請求項１２の発明は、ユーザが設定した設定項目に対応する設定情報を表示手段に表示する周辺機器制御装置において、前記設定情報を記憶保持する設定情報記憶手段と、前記設定情報記憶手段に記憶保持された設定情報を管理する設定情報管理手段と、前記設定情報に対応する画像データを前記表示手段に表示制御する画像データ表示制御手段と、前記表示手段に表示された画像データが入力手段により指定されてから所定の時間が経過した際に、該画像データに対応するテキスト情報を該表示手段に表示するテキスト情報表示制御手段とを具備することを特徴とする。
【００２０】
また、請求項１３の発明は、請求項１２の発明において、前記設定情報管理手段は、複数の設定項目を予め１つ以上のグループに振り分けるグループ管理手段を具備し、前記画像データ表示制御手段は前記グループに含まれる設定項目に対応する設定情報に対応する画像データを前記表示手段に表示制御し、前記テキスト情報表示制御手段は前記表示手段に表示された画像データが前記入力手段により指定されてから所定の時間が経過した際に、該画像データに対応するテキスト情報を該表示手段に表示することを特徴とする。
【００２１】
また、請求項１４の発明は、請求項１２の発明において、前記テキスト情報表示制御手段は、前記入力手段によりマウスカーソルが前記画像データに重なってから所定の時間が経過した際に、前記テキスト情報が記載されたウィンドウを表示することを特徴とする。
【００２２】
また、請求項１５の発明は、ユーザが設定した設定項目に対応する設定情報を表示手段に表示する周辺機器制御装置において、複数の設定情報を記憶保持する設定情報記憶手段と、前記設定情報記憶手段に記憶保持された複数の設定情報を管理する設定情報管理手段と、前記複数の設定情報に対応する画像データを表示手段に表示制御する画像データ表示制御手段と、前記表示手段に表示された画像データが入力手段により指定されてから所定の時間が経過した際に、前記複数の設定情報に対応するテキスト情報を前記表示手段に表示するテキスト情報表示制御手段とを具備することを特徴とする。
【００２３】
また、請求項１６の発明は、請求項１５の発明において、前記設定情報管理手段は、複数の設定項目を予め１つ以上のグループに振り分けるグループ管理手段を具備し、前記画像データ表示制御手段は前記グループに含まれる設定項目に対応する設定情報に対応する画像データを前記表示手段に表示制御し、前記テキスト情報表示制御手段は前記画像データが前記入力手段により指定されてから所定の時間が経過した際に、前記グループに対応する設定情報に対応するテキスト情報を前記表示手段に表示することを特徴とする。
【００２４】
また、請求項１７の発明は、請求項１５および請求項１６の発明において、前記設定情報管理手段は、前記設定項目に対応する設定情報に対して、前記テキスト情報を表示するか否かの属性情報を保持する設定情報属性管理手段を具備し、前記テキスト情報表示制御手段は、前記属性情報に基づき、該属性情報にて表示する属性となっている設定情報に対するテキスト情報のみを選択し、該選択したテキスト情報を前記表示手段に表示制御することを特徴とする。
【００２５】
また、請求項１８の発明は、ユーザが設定した設定項目に対応する設定情報を表示手段に表示する周辺機器制御装置において、前記設定項目に対応する設定情報に対して、テキスト情報を表示するか否かの属性情報を保持する設定情報属性管理手段と、前記設定情報に対応するテキスト情報を前記属性情報に基づいて表示手段に表示制御するテキスト情報表示制御手段とを具備することを特徴とする。
【００２６】
また、請求項１９の発明は、請求項１８の発明において、前記テキスト情報表示制御手段は、前記設定情報に対して前記テキスト情報を表示するか否かの前記属性情報に基づき、該属性情報にて表示する属性となっている設定情報に対するテキスト情報のみを選択し、該選択したテキスト情報を前記表示手段に表示制御することを特徴とする。
【００２７】
また、請求項２０の発明は、表示手段の表示制御を行なう表示制御装置において、周辺機器に対応する画像データを前記表示手段に表示制御する画像データ表示制御手段と、前記表示手段に表示された画像データが入力手段により指定されてから所定の時間が経過した際に、該画像データに対応する周辺機器を特定する特定手段と、前記特定手段で特定した周辺機器に対応する周辺機器制御プログラムに設定された設定情報を読み出す読出し手段と、前記読出し手段で読み出した設定情報を表すテキスト情報を前記表示手段に表示するテキスト情報表示制御手段とを具備することを特徴とする。
【００２８】
また、請求項２１の発明は、ユーザが設定した設定項目に対応する設定情報を表示手段に表示する周辺機器制御方法において、前記設定情報に対応する画像データを表示手段に表示制御し、前記表示手段に表示された画像データが入力手段により指定されてから所定の時間が経過した際に、該画像データに対応するテキスト情報を該表示手段に表示することを特徴とする。
【００２９】
また、請求項２２の発明は、請求項２１の発明において、複数の設定項目を予め１つ以上のグループに振り分け、前記グループに含まれる設定項目に対応する設定情報に対応する画像データを前記表示手段に表示制御し、前記表示手段に表示された画像データが前記入力手段により指定されてから所定の時間が経過した際に、該画像データに対応するテキスト情報を該表示手段に表示することを特徴とする。
【００３０】
また、請求項２３の発明は、請求項２２の発明において、前記入力手段によりマウスカーソルが前記画像データに重なってから所定の時間が経過した際に、前記テキスト情報が記載されたウィンドウを表示することを特徴とする。
【００３１】
また、請求項２４の発明は、ユーザが設定した設定項目に対応する設定情報を表示手段に表示する周辺機器制御方法において、複数の設定情報に対応する画像データを表示手段に表示制御し、前記表示手段に表示された画像データが入力手段により指定されてから所定の時間が経過した際に、前記複数の設定情報に対応するテキスト情報を前記表示手段に表示することを特徴とする。
【００３２】
また、請求項２５の発明は、請求項２４の発明において、複数の設定項目を予め１つ以上のグループに振り分け、前記グループに含まれる設定項目に対応する設定情報に対応する画像データを前記表示手段に表示制御し、前記画像データが前記入力手段により指定されてから所定の時間が経過した際に、前記グループに対応する設定情報に対応するテキスト情報を前記表示手段に表示することを特徴とする。
【００３３】
また、請求項２６の発明は、請求項２４および請求項２５の発明において、前記設定情報に対して前記テキスト情報を表示する際に、前記設定項目に対応する設定情報に対して、前記テキスト情報を表示するか否かの属性情報を保持し、前記属性情報に基づき、該属性情報にて表示する属性となっている設定情報に対するテキスト情報のみを選択し、該選択されたテキスト情報を前記表示手段に表示制御することを特徴とする。
【００３４】
また、請求項２７の発明は、ユーザが設定した設定項目に対応する設定情報を表示手段に表示する周辺機器制御方法において、前記設定項目に対応する設定情報に対して、テキスト情報を表示するか否かの属性情報を保持し、前記設定情報に対応するテキスト情報を前記属性情報に基づいて表示手段に表示制御することを特徴とする。
【００３５】
また、請求項２８の発明は、請求項２７の発明において、複数の設定項目の設定情報に対して前記テキスト情報を表示する際に、前記設定情報に対して前記テキスト情報を表示するか否かの前記属性情報に基づき、該属性情報にて表示する属性となっている設定情報に対するテキスト情報のみを選択し、該選択されたテキスト情報を前記表示手段に表示制御することを特徴とする。
【００３６】
また、請求項２９の発明は、表示手段の表示制御を行なう表示制御方法において、周辺機器に対応する画像データを前記表示手段に表示制御し、該表示された画像データが入力手段により指定されてから所定の時間が経過した際に、該画像データに対応する周辺機器を特定し、該特定した周辺機器に対応する周辺機器制御プログラムに設定された設定情報を読み出し、該読み出した設定情報を表すテキスト情報を前記表示手段に表示することを特徴とする。
【発明の効果】
【００３７】
本発明によれば、ツールチップによりイメージ表示とイメージに対応する設定情報のテキスト表示との対応が可能（同じ領域に表示が可能）になることで、イメージだけでは表現が難しい設定情報も、テキスト情報にて正確且つ分かり易く表現することが可能になり、また、ツールチップにより表現されうる設定情報を絞り込むことで、設定情報の認識性を良くすることが可能になり、また、ツールチップの表示制御により、ツールチップに対応する全ての設定情報について表示することなく、必要な情報を効率的に表現することが可能になるとともに、設定情報の認識も容易になることが可能になるという効果を奏する。
【発明を実施するための最良の形態】
【００３８】
以下、本発明に係わる周辺機器制御プログラム、装置および方法、並びに表示制御プログラム、装置および方法の実施の形態について添付図面を参照して詳細に説明する。
【００３９】
図１は、本発明に係わる周辺機器制御プログラム、装置および方法の機能的な構成の一例を示すブロック図である。図１において、周辺機器であるプリンタ１とクライアント２とがネットワーク３に接続されて構成され、クライアント２にはプリンタ１の周辺機器制御プログラムであるプリンタドライバ４がインストールされている。
【００４０】
図１に示すように、クライアント２は、印刷ジョブ等の生成を行うプログラムおよびデータを有するプリンタドライバ４、アプリケーションプログラムによって実現される各種のアプリケーション５、ネットワーク３を介した通信を行うための通信制御を行う通信制御部６から構成されている。これらは、図示していないＯＳ（Operating System）の制御下で、ＯＳの機能を利用して各種処理を実行する。また、クライアント２には、キーボードまたはマウス等の入力装置７、ディスプレイ等の表示装置８が接続されている。
【００４１】
ここで、プリンタドライバ４の機能的な構成について詳細に説明する。
【００４２】
図１に示すように、プリンタドライバ４は、その機能として、アプリケーション５から印刷データを受け付ける印刷データ受付部９、印刷データおよびプリンタ１の設定情報に基づいて印刷ジョブを生成する印刷ジョブ生成部１０、設定情報記憶部１１、設定情報管理部１２、入出力制御部１３、イメージ制御部１４、ツールチップ制御部１５を有する。
【００４３】
設定情報記憶部１１は、プリンタ１のハードウェアおよびソフトウェアの機能構成、プリンタ出力する際の設定等を示す設定情報を記憶保持する。
【００４４】
設定情報管理部１２は、設定情報記憶部１１に記憶保持されている設定情報の管理および更新を行う。
【００４５】
入出力制御部１３は、入力装置７からの指示を受け付ける入力処理、表示装置８にプリンタドライバ４の案内画面等（以後、プロパティウィンドウとする）を表示させる出力処理を行う。
【００４６】
イメージ制御部１４は、表示装置８にプリンタドライバ４のプロパティウィンドウを表示する際に、予め生成された設定情報を示すイメージから、設定情報記憶保持部１１に記憶保持されている設定情報に対応するイメージを選択し、入出力制御部１３に対して選択したイメージをプロパティウィンドウ上に表示させる。
【００４７】
ツールチップ制御部１５は、プロパティウィンドウ上に表示されている設定情報を示すイメージ上にカーソル等が一定時間以上重なっている際に、設定情報記憶部１１に記憶保持されている設定情報を示すテキスト情報（以後、これをツールチップとする）を、入出力制御部１３に対してプロパティウィンドウ上に表示させる。
【００４８】
次に、設定情報を示すツールチップを表示する際に、プリンタドライバ４が行う機能的な動作について説明する。
【００４９】
入出力制御部１３は入力装置７からプロパティウィンドウ表示の指示を受け付けると、プロパティウィンドウ表示の指示を受け付けた旨を設定情報管理部１２に出力し、設定情報管理部１２はプロパティウィンドウ表示の指示を受け付けた旨を入力すると、設定情報記憶部１１に記憶保持されている設定情報を読み出し、読み出した設定情報を入出力制御部１３に出力するとともに、プロパティウィンドウ上にイメージで表示させる設定情報をイメージ制御部１４に出力する。
【００５０】
イメージ制御部１４は設定情報を入力すると、入力した設定情報に対応するイメージを、予め生成された設定情報を示すイメージから選択し、選択したイメージを入出力制御部１３に出力し、入出力制御部１３は設定情報管理部１２からの設定情報およびイメージ制御部１４からのイメージを入力すると、入力した設定情報およびイメージに基づいてプロパティウィンドウを生成し、生成したプロパティウィンドウを表示装置８に送信し、表示装置８はプロパティウィンドウを受信すると、受信したプロパティウィンドウをディスプレイ等に表示する。
【００５１】
そして、入力装置７により操作されるカーソルが、表示装置８に表示されているプロパティウィンドウ上のイメージに重なると、入出力制御部１３はカーソルがイメージに重なっている旨をツールチップ制御部１５に出力し、ツールチップ制御部１５はカーソルがイメージに重なっている旨を入力すると、ツールチップを表示するための時間の計側を開始する。
【００５２】
カーソルがイメージに重なっている状態で所定の時間が経過すると、ツールチップ制御部１５はツールチップを表示する旨を設定情報管理部１２に出力し、設定情報管理部１２はツールチップを表示する旨を入力すると、設定情報記憶部１１に記憶保持されている設定情報を読み出し、読み出した設定情報をツールチップ制御部１５に出力し、ツールチップ制御部１５は設定情報を入力すると、入力した設定情報をテキスト情報に変換してツールチップを生成し、生成したツールチップを入出力制御部１３に出力し、入出力制御部１３はツールチップを入力すると、入力したツールチップを表示装置８に送信し、表示装置８はツールチップを受信すると、受信したツールチップをディスプレイ等に表示する。
【００５３】
そして、カーソルが移動し、イメージから離れると、入出力制御部１３はツールチップの表示をクローズする旨を表示装置８に送信し、表示装置８はツールチップの表示をクローズする旨を受信すると、ディスプレイ等に表示されているツールチップをクローズする。
【００５４】
次に、設定情報を示すツールチップを表示する際に、プリンタドライバ４が行う処理の手順について図２のフローチャートを参照して説明する。
【００５５】
プロパティウィンドウが表示されており（ステップＳ２０１でＹＥＳ）、イメージ上にカーソルが重なっている場合（ステップＳ２０２でＹＥＳ）、所定時間が経過すると（ステップＳ２０３でＹＥＳ）、ツールチップを表示する（ステップＳ２０４）。
【００５６】
カーソルが移動すると（ステップＳ２０５でＹＥＳ）、ツールチップを閉じ（ステップＳ２０６）、プロパティウィンドウが閉じられると（ステップＳ２０７でＮＯ）、処理手順を終了する。
【００５７】
また、ステップＳ２０３において、所定時間が経過する前に（ステップＳ２０３でＮＯ）、カーソルが移動すると（ステップＳ２０８でＹＥＳ）、ツールチップを表示しない。
【００５８】
次に、設定情報を示すツールチップの表示する処理について具体的な実施例を参照して詳細に説明する。
【００５９】
図３は、表示装置８に表示されたプリンタドライバ４のプロパティウィンドウ１６の一例を示す図である。
【００６０】
図３に示すように、プリンタドライバ４のプロパティウィンドウ１６には、種々の設定情報を設定するためのコンボボックスまたはチェックボックス等が表示され、例えば、「原稿サイズ」の設定情報として「Ａ４」が設定され、「原稿の向き」の設定情報として「たて原稿」が設定されている。
【００６１】
これらの設定情報を示すイメージがプロパティウィンドウ上のイメージ領域１７に表示されている。例えば、図３に示すように、イメージＡ１８１は、「両面」の設定情報として「長辺とじ」が設定され、「まとめて１枚」の設定情報として「４アップ」が設定され、「カラーモード」の設定情報として「カラー」が設定され、「印字方向」の設定情報として「順横方向」が設定されていることを示し、イメージＢ１８２は「原稿の向き」の設定情報として「たて原稿」が設定されていることを示し、また、イメージＣ１８３は「ソート」の設定情報として「ソートオン」が設定されていることを示している。
【００６２】
イメージＡ１８１、イメージＢ１８２およびイメージＣ１８３にカーソル１９を所定時間重ねることで、設定情報を示すツールチップ２０が表示される。例えば、図３に示すように、イメージＡ１８１にカーソル１９を重ねると、イメージＡ１８１が示す設定情報（「両面」が「長辺とじ」、「まとめて１枚」が「４アップ」、「カラーモード」が「カラー」、「印字方向」が「順横方向」）と、イメージＢ１８２が示す設定情報（「原稿の向き」が「たて原稿」）と、イメージＣ１８３が示す設定情報（「ソート」が「ソートオン」）と、イメージで示されていない設定情報（「原稿サイズ」の設定情報として「Ａ４」が設定、「スタンプ」の設定情報として「禁複写」が設定、「ヘッダー／フッター印刷」の設定情報として「オン」が設定）とが、ツールチップ１９として表示される。
【００６３】
従って、ツールチップによりイメージに対応する設定情報をテキスト情報で表現することで、イメージと設定情報との関連をより分かりやすく表現することが可能になるとともに、イメージだけでは表現が難しい設定情報（例えば、数値による入力、任意文字列の入力等）も、テキスト情報にて正確且つ分かり易く表現することが可能になる。
【００６４】
次に、設定情報を幾つかのグループに分割し、各グループ毎でイメージで表示するか、ツールチップで表示するかを設定する分割表示について説明する。
【００６５】
図４は、分割表示を行うプリンタドライバ４の機能的な構成の一部を示すブロック図である。
【００６６】
図４に示すように、プリンタドライバ４は、その機能として、設定情報記憶部１１、設定情報管理部１２、入出力制御部１３、イメージ制御部１４、ツールチップ制御部１５を有する。なお、その他の機能については図１と同様であるため、説明を省略する。また、設定情報記憶部１１、入出力制御部１３、イメージ制御部１４およびツールチップ制御部１５の機能についても図１と同様であるため、詳細な説明は省略する。
【００６７】
設定情報管理部１２は、設定情報を幾つかに分割したグループを管理するグループ管理部２１を有し、設定情報記憶部１１に記憶保持されている設定情報の管理および更新を行う。
【００６８】
次に、プリンタドライバ４が分割表示を行う際の機能的な動作について説明する。
【００６９】
入出力制御部１３は入力装置７から設定情報のグループの分割の指示およびグループ毎の分割表示の設定を受け付けると、設定情報のグループの分割の指示およびグループ毎の分割表示の設定を設定情報管理部１２に出力し、設定情報管理部１２が設定情報のグループの分割の指示およびグループ毎の分割表示の設定を入力すると、グループ管理部２１が設定情報のグループの分割の指示に基づき、設定情報記憶部１１に記憶保持されている設定情報をグループに分割し、グループ毎の分割表示の設定に基づき、分割したグループに対して分割表示の設定を行う。
【００７０】
そして、表示装置８にプロパティウィンドウが表示している際に、入力装置７により操作されるカーソルが、表示装置８に表示されているプロパティウィンドウ上のイメージに重なると、入出力制御部１３はカーソルがイメージに重なっている旨をツールチップ制御部１５に出力し、ツールチップ制御部１５はカーソルがイメージに重なっている旨を入力すると、カーソルがイメージに重なっている旨を設定情報管理部１２に出力し、設定情報管理部１２がカーソルがイメージに重なっている旨を入力すると、グループ毎の分割表示の設定についてグループ管理部２１に問い合わせる。
【００７１】
ここで、ツールチップ表示に設定されているグループがある場合は、ツールチップ表示に設定されているグループがある旨をツールチップ制御部１５に出力し、ツールチップ制御部１５はツールチップ表示に設定されているグループがある旨を入力すると、ツールチップを表示するための時間の計側を開始する。また、ツールチップ表示に設定されているグループがない場合は、ツールチップ表示に設定されているグループがない旨をツールチップ制御部１５に出力し、ツールチップ制御部１５はツールチップ表示に設定されているグループがない旨を入力すると、ツールチップを表示しない。
【００７２】
ツールチップ表示に設定されているグループがある場合、イメージに重なっている状態で所定の時間が経過すると、ツールチップ制御部１５はツールチップを表示する旨を設定情報管理部１２に出力し、設定情報管理部１２はツールチップを表示する旨を入力すると、設定情報記憶部１１に記憶保持されている設定情報からツールチップ表示に設定されているグループに属する設定情報を読み出し、読み出した設定情報をツールチップ制御部１５に出力し、ツールチップ制御部１５は設定情報を入力すると、入力した設定情報をテキスト情報に変換してツールチップを生成し、生成したツールチップを入出力制御部１３に出力し、入出力制御部１３はツールチップを入力すると、入力したツールチップを表示装置８に送信し、表示装置８はツールチップを受信すると、受信したツールチップをディスプレイ等に表示する。
【００７３】
そして、カーソルが移動し、イメージから離れると、入出力制御部１３はツールチップの表示をクローズする旨を表示装置８に送信し、表示装置８はツールチップの表示をクローズする旨を受信すると、ディスプレイ等に表示されているツールチップをクローズする。
【００７４】
次に、分割表示を行う際に、プリンタドライバ４が行う処理の手順について図５のフローチャートを参照して説明する。
【００７５】
プロパティウィンドウが表示されており（ステップＳ５０１でＹＥＳ）、イメージ上にカーソルが重なっている場合（ステップＳ５０２でＹＥＳ）、ツールチップ表示に設定されているグループを確認し（ステップＳ５０３）、所定時間が経過すると（ステップＳ５０４でＹＥＳ）、ツールチップ表示に設定されているグループの設定情報をツールチップとして表示し（ステップＳ５０５）、カーソルが移動すると（ステップＳ５０６でＹＥＳ）、ツールチップを閉じ（ステップＳ５０７）、プロパティウィンドウが閉じられると（ステップＳ５０８でＮＯ）、処理手順を終了する。
【００７６】
また、ステップＳ５０４において、所定時間が経過する前に（ステップＳ５０４でＮＯ）、カーソルが移動すると（ステップＳ５０９でＹＥＳ）、ツールチップを表示しない。
【００７７】
次に、分割表示を行う処理について具体的な実施例を参照して詳細に説明する。
【００７８】
図６は、表示装置８に表示されたプリンタドライバ４のプロパティウィンドウ１６の一例を示す図である。
【００７９】
図６（ａ）に示すように、プリンタドライバ４のプロパティウィンドウ１６には、「基本」のカード、「トレイ／排出」のカード、「グラフィックス」のカード、「スタンプ／フォーム」のカード、「詳細設定」のカード２２が存在し、設定情報を幾つかのグループに分割する設定を行うためには、「詳細設定」のカード２２をオープンする必要がある。
【００８０】
「詳細設定」のカード２２には分割表示の設定のためのチェックボックス２３が表示されている。ここで、分割表示の設定のためのチェックボックス２３にチェックを入力し、「分割表示設定」のボタン２４を操作すると、図６（ｂ）に示す分割表示設定ウィンドウ２５が表示される。
【００８１】
図６（ｂ）に示すように、分割表示設定ウィンドウ２５にて、設定情報のグループの分割およびグループ毎の分割表示の設定を行うことができる。例えば、図６（ｂ）に示す複数の設定情報をイメージで表示するグループ（以後、グループ１とする）と、ツールチップで表示するグループ（以後、グループ２とする）とに分割する場合、設定情報の一覧２６から「原稿サイズ」を選択し、「グループ１」のボタン２７を操作することで、「原稿サイズ」の設定情報を「グループ１」に設定することができ、設定情報の一覧から「スタンプ」を選択し、「グループ２」のボタン２８を操作することで、「スタンプ」の設定情報を「グループ２」に設定することができる。なお、ツールチップ表示のチェックボックス２９にチェックを入力することで、そのグループの設定情報をツールチップ表示に設定することができ、ツールチップ表示のチェックボックス２９にチェックを入力しなければ、そのグループの設定情報をイメージ表示に設定することができる。
【００８２】
そして、「ＯＫ」のボタン３０を操作することで、グループの分割およびグループ毎の分割表示の設定を確定することができ、その際には、分割表示設定ウィンドウ２５はクローズされる。
【００８３】
図７は、表示装置８に表示されたプリンタドライバ４のプロパティウィンドウ１６の一例を示す図である。
【００８４】
図７に示すように、イメージ領域１７に表示されているイメージＡ１８１にカーソル１９を重ねると、ツールチップ表示に設定されている「グループ２」の設定情報（「スタンプ」が「禁複写」、「ヘッダー／フッター印刷」が「オン」）が、ツールチップ２０として表示される。
【００８５】
従って、ツールチップにより表現されうる設定情報を絞り込むことで、設定情報の認識性を良くすることができる。
【００８６】
次に、設定情報毎にツールチップの表示／非表示を設定するツールチップ表示制御について説明する。
【００８７】
図８は、ツールチップ表示制御を行うプリンタドライバ４の機能的な構成の一部を示すブロック図である。
【００８８】
図８に示すように、プリンタドライバ４は、その機能として、設定情報記憶部１１、設定情報管理部１２、入出力制御部１３、イメージ制御部１４、ツールチップ制御部１５を有する。なお、その他の機能については図１と同様であるため、説明を省略する。また、設定情報記憶部１１、入出力制御部１３、イメージ制御部１４およびツールチップ制御部１５の機能についても図１と同様であるため、詳細な説明は省略する。
【００８９】
設定情報管理部１２は、設定情報毎にツールチップの表示／非表示を設定する設定情報属性を管理する設定情報属性管理部３１を有し、設定情報記憶部１１に記憶保持されている設定情報の管理および更新を行う。
【００９０】
次に、プリンタドライバ４がツールチップ表示制御を行う際の機能的な動作について説明する。
【００９１】
入出力制御部１３は入力装置７から設定情報毎にツールチップの表示／非表示を設定する設定情報属性を受け付けると、設定情報属性を設定情報管理部１２に出力し、設定情報管理部１２が設定情報属性を入力すると、設定情報属性管理部３１が設定情報属性に基づき、設定情報記憶部１１に記憶保持されている設定情報毎に設定情報属性を設定する。
【００９２】
そして、表示装置８にプロパティウィンドウが表示している際に、入力装置７により操作されるカーソルが、表示装置８に表示されているプロパティウィンドウ上のイメージに重なると、入出力制御部１３はカーソルが重なっているイメージの情報をツールチップ制御部１５に出力し、ツールチップ制御部１５はイメージの情報を入力すると、入力したイメージの情報を設定情報管理部１２に出力し、設定情報管理部１２はイメージの情報を入力すると、イメージが示す設定情報に設定されている設定情報属性について設定情報属性管理部３１に問い合わせる。
【００９３】
ここで、問い合わせた設定情報の設定情報属性にツールチップ表示が設定されている場合は、設定情報属性にツールチップ表示が設定されている旨をツールチップ制御部１５に出力し、ツールチップ制御部１５はツールチップでの表示に設定されている旨を入力すると、ツールチップを表示するための時間の計側を開始する。また、問い合わせた設定情報の設定情報属性にツールチップ表示が設定されていない場合は、設定情報属性にツールチップ表示が設定されていない旨をツールチップ制御部１５に出力し、ツールチップ制御部１５は設定情報属性にツールチップ表示が設定されていない旨を入力すると、ツールチップを表示しない。
【００９４】
カーソルが重なっているイメージが示す設定情報の設定情報属性にツールチップ表示が設定されている場合、イメージに重なっている状態で所定の時間が経過すると、ツールチップ制御部１５はツールチップを表示する旨を設定情報管理部１２に出力し、設定情報管理部１２はツールチップを表示する旨を入力すると、設定情報記憶部１１に記憶保持されている設定情報からカーソルが重なっているイメージが示し且つ設定情報属性にツールチップ表示が設定されている設定情報を読み出し、読み出した設定情報をツールチップ制御部１５に出力し、ツールチップ制御部１５は設定情報を入力すると、入力した設定情報をテキスト情報に変換してツールチップを生成し、生成したツールチップを入出力制御部１３に出力し、入出力制御部１３はツールチップを入力すると、入力したツールチップを表示装置８に送信し、表示装置８はツールチップを受信すると、受信したツールチップをディスプレイ等に表示する。
【００９５】
そして、カーソルが移動し、イメージから離れると、入出力制御部１３はツールチップの表示をクローズする旨を表示装置８に送信し、表示装置８はツールチップの表示をクローズする旨を受信すると、ディスプレイ等に表示されているツールチップをクローズする。
【００９６】
次に、ツールチップ表示制御を行う際に、プリンタドライバ４が行う処理の手順について図９のフローチャートを参照して説明する。
【００９７】
プロパティウィンドウが表示されており（ステップＳ９０１でＹＥＳ）、イメージ上にカーソルが重なっている場合（ステップＳ９０２でＹＥＳ）、そのイメージが示す設定情報の設定情報属性を確認する（ステップＳ９０３）。
【００９８】
設定情報属性にツールチップ表示が設定されている設定情報属性が有る場合（ステップＳ９０４でＹＥＳ）、所定時間が経過すると（ステップＳ９０５でＹＥＳ）、設定情報属性にツールチップ表示が設定されている設定情報をツールチップとして表示し（ステップＳ９０６）、カーソルが移動すると（ステップＳ９０７でＹＥＳ）、ツールチップを閉じ（ステップＳ９０８）、プロパティウィンドウが閉じられると（ステップＳ９０９でＮＯ）、処理手順を終了する。
【００９９】
また、ステップＳ９０４において、設定情報属性にツールチップ表示が設定されている設定情報がない場合（ステップＳ９０４でＮＯ）、ツールチップを表示しない。
【０１００】
また、ステップＳ９０５において、所定時間が経過する前に（ステップＳ９０５でＮＯ）、カーソルが移動すると（ステップＳ９１０でＹＥＳ）、ツールチップを表示しない。
【０１０１】
次に、ツールチップ表示制御を行う処理について具体的な実施例を参照して詳細に説明する。
【０１０２】
図１０は、表示装置８に表示されたプリンタドライバ４のプロパティウィンドウ１６の一例を示す図である。
【０１０３】
図１０（ａ）に示すように、プリンタドライバ４のプロパティウィンドウ１６には、「基本」のカード、「トレイ／排出」のカード、「グラフィックス」のカード、「スタンプ／フォーム」のカード、「詳細設定」のカード２２が存在し、ツールチップ表示制御の設定を行うためには、「詳細設定」のカード２２をオープンする必要がある。
【０１０４】
「詳細設定」のカード２２にはツールチップ表示制御の設定のためのチェックボックス３２が表示されている。ここで、ツールチップ表示制御の設定のためのチェックボックス３２にチェックを入力し、「ツールチップ属性設定」のボタン３３を操作すると、図１０（ｂ）に示すツールチップ属性設定ウィンドウ３４が表示される。
【０１０５】
図１０（ｂ）に示すように、ツールチップ属性設定ウィンドウ３４にて、設定情報毎にツールチップの表示／非表示の設定を行うことができ、ツールチップ表示の設定のためのチェックボックス３５にチェックを入力することで、設定情報にツールチップ表示を設定することができる。例えば、図１０（ｂ）に示すように、「原稿の向き」、「スタンプ」および「ヘッダー／フッター印刷」の設定情報のチェックボックス３５にはチェックが入力されているので、「原稿の向き」、「スタンプ」および「ヘッダー／フッター印刷」の設定情報はツールチップで表示される。
【０１０６】
そして、「ＯＫ」のボタン３０を操作することで、ツールチップの表示／非表示の設定を確定することができ、その際には、ツールチップ属性設定ウィンドウ３４はクローズされる。
【０１０７】
図１１は、表示装置８に表示されたプリンタドライバ４のプロパティウィンドウ１６の一例を示す図である。
【０１０８】
図１１（ａ）に示すように、イメージ領域１７に表示されているイメージＢ１８２が示す設定情報はツールチップ表示に設定されているため、イメージＢ１８２にカーソル１９を重ねると、イメージＢ１８２が示す設定情報（「原稿の向き」が「たて原稿」）が、ツールチップ２０として表示される。
【０１０９】
また、図１１（ｂ）に示すように、イメージ領域１７に表示されているイメージＣ１８３が示す設定情報はツールチップ表示に設定されていないため、イメージＣ１８３にカーソル１９を重ねても、イメージＣ１８３が示す設定情報（「ソート」が「オン」）が、ツールチップ２０として表示されない。
【０１１０】
従って、設定情報属性の付加を行うことで、テキストの絞り込みだけでなく、設定情報属性を設定情報それぞれに対して保持することによって、各設定情報に対してテキストの表示を制御することが可能になり、これにより、「機能オフ」を意味する選択肢（設定情報）等不要なテキスト表示を削除することが可能になる。
【０１１１】
次に、プリンタドライバのプロパティウィンドウを表示せずに設定情報を示すツールチップを表示する表示方法について説明する。
【０１１２】
図１２は、ツールチップ表示制御を行なうＯＳ３６の機能的な構成の一例を示す図である。
【０１１３】
図１２に示すように、ＯＳ３６は、その機能として、入出力制御部１３、ツールチップ制御部１５を有し、更に、設定情報記憶部１１、設定情報管理部１２、イメージ制御部１４を有する各出力先（つまり、プリンタ１０１・１０２・１０３）毎のプリンタドライバ４１・４２・４３を包含している。なお、その他の機能については図１と同様であるため、説明を省略する。
【０１１４】
ＯＳ３６に設けられた入出力制御部１３は、入力装置７からの指示を受け付ける入力処理、表示装置８にプリンタの指定を行わせたり、プリンタの初期値を設定させるための画面（以下、プリンタ画面と称する）を表示させる出力処理を行う。また、プリンタドライバの設定情報管理部１２を通じて、設定情報記憶部１１に記憶保存されている設定情報を読み出したり、書き込みを行う処理を行う。
【０１１５】
ＯＳ３６に設けられたツールチップ制御部１５は、プリンタ画面に表示されるプリンタイメージに対応するプリンタを予め記憶保持し、プリンタ画面に表示されているプリンタイメージ上にカーソル等が一定時間重なっている際に、そのプリンタイメージに対応するプリンタを特定し、特定したプリンタのプリンタドライバの設定情報記憶部１１に記憶保持されている設定情報を示すテキスト情報を入出力制御部１３に対してプリンタ画面上に表示させる。
【０１１６】
次に、設定情報を示すツールチップを表示する際に、ＯＳ３６が行う機能的な動作について説明する。
【０１１７】
入出力制御部１３は入力装置７からプリンタ画面の表示指示を受け付けると、表示装置８にプリンタ画面を表示するよう制御を行なう。
【０１１８】
入力装置７により操作されるカーソルが、表示装置８に表示されているプリンタ画面上の各出力先プリンタイメージのいずれかに重なると、入出力制御部１３はカーソルがプリンタイメージに重なっている旨をツールチップ制御部１５に出力し、ツールチップ制御部１５はカーソルがプリンタイメージに重なっている旨を入力すると、ツールチップを表示するための時間の計測を開始する。
【０１１９】
カーソルがプリンタイメージに重なっている状態で所定の時間が経過すると、ツールチップ制御部１５はカーソルがプリンタイメージに重なっているプリンタイメージに対応するプリンタを特定し、そのプリンタに対応するプリンタドライバの設定情報管理部１２にツールチップを表示する旨を出力し、そのプリンタに対応するプリンタドライバの設定情報管理部１２はツールチップを表示する旨を入力すると、設定情報記憶部１１に記憶保持されている設定情報を読み出し、読み出した設定情報をツールチップ制御部１４に出力し、ツールチップ制御部１４は設定情報を入力すると、入力した情報をテキスト情報に変換してツールチップを生成し、生成したツールチップを入出力制御部１３に出力し、入出力制御部１３はツールチップを入力すると、入力したツールチップを表示装置８に送信し、表示装置８はツールチップを受信すると、受信したツールチップをディスプレイ等に表示する。
【０１２０】
そして、カーソルが移動し、プリンタイメージから離れると、入出力制御部１３はツールチップの表示をクローズする旨を表示装置８に送信し、表示装置８はツールチップの表示をクローズする旨を受信すると、ディスプレイ等に表示されているツールチップをクローズする。
【０１２１】
次に、設定情報を示すツールチップを表示する際に、ＯＳ３６が行う処理の手順について図１３に示すフローチャートを参照して説明する。
【０１２２】
プリンタ画面が表示されており（ステップＳ１３０１でＹＥＳ）、プリンタイメージ上にカーソルが重なっている場合（ステップＳ１３０２でＹＥＳ）、所定時間が経過すると（ステップＳ１３０３でＹＥＳ）、カーソルが重なっている出力先プリンタのプリンタイメージを特定し（ステップＳ１３０４）、特定されたプリンタに対応するプリンタドライバの設定情報管理部に問い合わせて設定情報記憶部に記憶された設定情報を読み出し（ステップＳ１３０５）、ツールチップを表示する（ステップＳ１３０６）。
【０１２３】
カーソルが移動すると（ステップＳ１３０７でＹＥＳ）、ツールチップを閉じ（ステップＳ１３０８）、プリント画面が閉じられると（ステップＳ１３０９でＮＯ）、処理手順を終了する。
【０１２４】
また、ステップＳ１３０３において、所定時間が経過する前に（ステップＳ１３０３でＮＯ）、カーソルが移動すると（ステップＳ１３１０でＹＥＳ）、ツールチップを表示しない。
【０１２５】
次に、設定情報を示すツールチップの表示する処理について具体的な実施例を参照して詳細に説明する。
【０１２６】
図１４は、表示装置に表示されたプリンタ画面３７の一例を示す図である。
【０１２７】
図１４に示すように、プリンタ画面には、出力先のプリンタを示すプリンタイメージ（図１４では、プリンタＡイメージ３８１、プリンタＢイメージ３８２、プリンタＣイメージ３８３）が表示されている。これらのプリンタイメージの各々はそれぞれのプリンタに対する情報の設定を行い、プリンタ指示を行うためのプリンタドライバと対応付けられており、これらのプリンタイメージを指示することにより、プリンタドライバの情報設定画面を表示させたり、設定情報の初期値を設定することが可能である。
【０１２８】
プリンタＡイメージ３８１、プリンタＢイメージ３８２およびプリンタＣイメージ３８３にカーソルを所定時間重ねることで、それぞれのプリンタイメージに対応するプリンタドライバに設定記憶された設定情報を示すツールチップが表示される。例えば、図１４に示すように、プリンタＣイメージ３８３にカーソルを重ねると、プリンタＣイメージ３８３に対応するプリンタドライバに設定された設定情報（「原稿サイズ」が「Ａ４」、「原稿の向き」が「たて原稿」、「両面」が「長辺とじ」、「まとめて１枚」が「４アップ」、「カラーモード」が「カラー」、「印字方向」が「順横方向」、「ソート」が「ソートオン」、「スタンプ」の設定情報として「禁複写」、「ヘッダー／フッター印刷」が「オン」）がツールチップ２０として表示される。
【０１２９】
従って、ツールチップによりプリンタイメージに対応するプリンタドライバを開くこと無しに、設定情報をまとめてテキスト情報で表現することで、プリンタイメージとプリンタに対して設定されている設定情報との関連をユーザはより少ない操作で把握することができる。
【０１３０】
上述した実施例では、所定のイメージ上にカーソルを重ねることにより、設定情報をツールチップとして表示することについて説明してきたが、これに限定されるものではなく、ツールチップとして表示された設定情報を編集できるように構成しても良い。
【０１３１】
所定のイメージ上にカーソルを重ねツールチップを表示させた状態で、カーソルを移動し、所定のイメージの領域からカーソルが離れればツールチップがクローズされるが、例えば、図１５に示すように、ツールチップ２０を表示させた状態で特定のキー等（例えば、キーボードのＳｈｉｆｔキー等）を押すことにより、ツールチップ２０の表示を固定させ、カーソル１９を移動させて編集したい設定情報を指示する（図では、リスト表示された項目から設定情報をカーソルでクリックする）ことにより設定情報を変更させる構成にしても良い。
【０１３２】
なお、本発明においては、上記で説明したプリンタドライバと同様な機能を持つ周辺機器制御装置をクライアントに接続する構成でも適用可能である。
【図面の簡単な説明】
【０１３３】
【図１】本発明に係わる周辺機器制御プログラム、装置および方法の機能的な構成の一例を示すブロック図である。
【図２】設定情報を示すツールチップを表示する際に、プリンタドライバ４が行う処理の手順を示すフローチャートである。
【図３】表示装置８に表示されたプリンタドライバ４のプロパティウィンドウ１６の一例を示す図である。
【図４】分割表示を行うプリンタドライバ４の機能的な構成の一部を示すブロック図である。
【図５】分割表示を行う際に、プリンタドライバ４が行う処理の手順を示すフローチャートである。
【図６】表示装置８に表示されたプリンタドライバ４のプロパティウィンドウ１６の一例を示す図である。
【図７】表示装置８に表示されたプリンタドライバ４のプロパティウィンドウ１６の一例を示す図である。
【図８】ツールチップ表示制御を行うプリンタドライバ４の機能的な構成の一部を示すブロック図である。
【図９】ツールチップ表示制御を行う際に、プリンタドライバ４が行う処理の手順を示すフローチャートである。
【図１０】表示装置８に表示されたプリンタドライバ４のプロパティウィンドウ１６の一例を示す図である。
【図１１】表示装置８に表示されたプリンタドライバ４のプロパティウィンドウ１６の一例を示す図である。
【図１２】ツールチップ表示制御を行なうＯＳ３６の機能的な構成の一例を示す図である。
【図１３】設定情報を示すツールチップを表示する際に、ＯＳ３６が行う処理の手順を示すフローチャートである。
【図１４】表示装置に表示されたプリンタ画面３７の一例を示す図である。
【図１５】表示装置８に表示されたプリンタドライバ４のプロパティウィンドウ１６の一例を示す図である。
【符号の説明】
【０１３４】
１    プリンタ
２    クライアント
３    ネットワーク
４、４１、４２、４３    プリンタドライバ
５    アプリケーション
６    通信制御部
７    入力装置
８    表示装置
９    印刷データ受付部
１０    印刷ジョブ生成部
１１    設定情報記憶部
１２    設定情報管理部
１３    入出力制御部
１４    イメージ制御部
１５    ツールチップ制御部
１６    プロパティウィンドウ
１７    イメージ領域
１８１    イメージＡ
１８２    イメージＢ
１８３    イメージＣ
１９    カーソル
２０    ツールチップ
２１    グループ管理部
２２    「詳細設定」のカード
２３    分割表示の設定のためのチェックボックス
２４    「分割表示設定」のボタン
２５    分割表示設定ウィンドウ２５
２６    設定情報の一覧
２７    「グループ１」のボタン
２８    「グループ２」のボタン
２９    ツールチップ表示のチェックボックス
３０    「ＯＫ」のボタン
３１    設定情報属性管理部
３２    ツールチップ表示制御の設定のためのチェックボックス
３３    「ツールチップ属性設定」のボタン
３４    ツールチップ属性設定ウィンドウ
３５    ツールチップ表示の設定のためのチェックボックス
３６    ＯＳ
３７    プリンタ画面
３８１    プリンタＡイメージ
３８２    プリンタＢイメージ
３８３    プリンタＣイメージ
【図１】
2005141729.tif 000003
【図２】
2005141729.tif 000004
【図３】
2005141729.tif 000005
【図４】
2005141729.tif 000006
【図５】
2005141729.tif 000007
【図６】
2005141729.tif 000008
【図７】
2005141729.tif 000009
【図８】
2005141729.tif 000010
【図９】
2005141729.tif 000011
【図１０】
2005141729.tif 000012
【図１１】
2005141729.tif 000013
【図１２】
2005141729.tif 000014
【図１３】
2005141729.tif 000015
【図１４】
2005141729.tif 000016
【図１５】
2005141729.tif 000017